(57)【要約】【課題】大規模な装置を用いることなく、効率よく顧客を捌くことができるようにする。【解決手段】データ入力手段として、第１及び第２の入力手段（例えば、キーボード１１０、スキャナ１１１等）を設け、第１の入力手段１１０ａ、１１１ａ等によって入力された商品データに基づく商品販売情報と第２の入力手段１１０ｂ、１１１ｂ等によって入力された商品データに基づく商品販売情報とを右側表示と左側表示とに分けて液晶表示パネルを有する顧客用表示器１２０に表示し、商品販売データ処理を左右独立に実行可能とする（デュアルモード）。データ処理部がデュアルモードにモード設定された場合、顧客用表示器１２０が有する液晶表示パネルにおける液晶の透過率を低下させ、あるいは、液晶表示パネルのバックライトの輝度を低下させ、これによって液晶表示パネルの視野角を狭めて隣の顧客の取引情報が見えにくくなるようにした。【選択図】    図１
2005049917.tif 000002
【特許請求の範囲】
【請求項１】
入力された商品データに基づいて商品販売データ処理を実行するデータ処理部を備えた商品販売データ処理装置において、
顧客に対して情報を表示する液晶表示パネルを有する顧客用表示器と、
データを入力する第１の入力手段と、
データを入力する第２の入力手段と、
前記第１の入力手段によって入力された商品データに基づく商品販売情報と前記第２の入力手段によって入力された商品データに基づく商品販売情報とを右側表示と左側表示とに分けて前記顧客用表示器に表示させ、前記第１の入力手段によって入力された商品データに基づく商品販売データ処理と前記第２の入力手段によって入力された商品データに基づく商品販売データ処理とを別個独立して実行するデュアルモードに前記データ処理部をモード設定するデュアルモード設定手段と、
前記データ処理部がデュアルモードにモード設定された場合、前記顧客用表示器が有する前記液晶表示パネルにおける液晶の透過率を低下させる視野角調整手段と、
を具備することを特徴とする商品販売データ処理装置。
【請求項２】
前記視野角調整手段は、前記液晶表示パネルの中央部よりも両端側の方の液晶の透過率を低下させることを特徴とする請求項１記載の商品販売データ処理装置。
【請求項３】
前記視野角調整手段は、前記液晶表示パネルに電圧を印加するための共通電極に印加する電圧を変動させることによって液晶の透過率を低下させることを特徴とする請求項１記載の商品販売データ処理装置。
【請求項４】
入力された商品データに基づいて商品販売データ処理を実行するデータ処理部を備えた商品販売データ処理装置において、
顧客に対して情報を表示する液晶表示パネルを有する顧客用表示器と、
データを入力する第１の入力手段と、
データを入力する第２の入力手段と、
前記第１の入力手段によって入力された商品データに基づく商品販売情報と前記第２の入力手段によって入力された商品データに基づく商品販売情報とを右側表示と左側表示とに分けて前記顧客用表示器に表示させ、前記第１の入力手段によって入力された商品データに基づく商品販売データ処理と前記第２の入力手段によって入力された商品データに基づく商品販売データ処理とを別個独立して実行するデュアルモードに前記データ処理部をモード設定するデュアルモード設定手段と、
前記データ処理部がデュアルモードにモード設定されている場合、前記顧客用表示器が有する前記液晶表示パネルにおけるバックライトの輝度を低下させる視野角調整手段と、
を具備することを特徴とする商品販売データ処理装置。
【発明の詳細な説明】
【０００１】
【発明の属する技術分野】
本発明は、ＥＣＲ（Ｅｌｅｃｔｒｏｎｉｃ  Ｃａｓｈ  Ｒｅｇｉｓｔｅｒ）やＰＯＳ（Ｐｏｉｎｔ  ｏｆ  Ｓａｌｅｓ）ターミナル等の商品販売データ処理装置に関する。
【０００２】
【従来の技術】
ＥＣＲ（Ｅｌｅｃｔｒｏｎｉｃ  Ｃａｓｈ  Ｒｅｇｉｓｔｅｒ）やＰＯＳ（Ｐｏｉｎｔ  ｏｆ  Ｓａｌｅｓ）ターミナル等の商品販売データ処理装置や、このような商品販売データ処理装置と一緒に用いられる釣り銭機は、一般的には、一顧客一台という態様で用いられることが多い。特に、近年著しい展開を遂げているコンビニエンスストアでは、一顧客一台という商品販売データ処理装置の使用態様が一般化している。
【０００３】
これに対して、一人のキャッシャが複数台の商品販売データ処理装置を扱うようなシステム（例えば特許文献１〜２）や、逆に、一台の商品販売データ処理装置に複数人が対応付けられるいわゆる二人制と呼ばれる顧客応対方式も、従来から広く用いられたり実施されたりしている。
【０００４】
一人のキャッシャが複数台の商品販売データ処理装置を扱うようなシステムは、商品データの読み取りを顧客自らに行わせるセルフスキャン方式を採用し、キャッシャは専ら顧客との間での決済作業（金銭の授受等）や決済操作（売上登録操作等）に専念する。
【０００５】
いわゆる二人制と呼ばれる顧客応対方式は、一台の商品販売データ処理装置を二人で使用する方式である。この方式では、二人の者の役割をオペレータとキャッシャとに分担する。役割分担の一例として、オペレータは商品データの読み取りのためのスキャン動作に従事し、キャッシャは決済作業や決済動作に従事する。役割分担の別の一例としては、オペレータは購入商品の袋詰め作業に従事し、キャッシャは商品販売データ処理装置の作業に従事する。
【０００６】
【特許文献１】
特開平０７−０２１４６３号公報
【特許文献２】
特開平０７−２１０７５５号公報
【０００７】
【発明が解決しようとする課題】
従来技術の項では、一顧客一台という商品販売データ処理装置の一般的な使用態様の他に、一人のキャッシャが複数台の商品販売データ処理装置を扱うようなシステムや、逆に、一台の商品販売データ処理装置に複数人が対応付けられるいわゆる二人制と呼ばれる顧客応対方式についても紹介した。
【０００８】
顧客を効率よく捌くという観点からすると、一人のキャッシャが複数台の商品販売データ処理装置を扱うようなシステムも、いわゆる二人制と呼ばれる顧客応対方式も、一顧客一台という商品販売データ処理装置の一般的な使用態様との比較において、ある程度の効率化が可能である。
【０００９】
しかしながら、一人のキャッシャが複数台の商品販売データ処理装置を扱うようなシステムでは、商品データをスキャニングするためのレーンが二本必要で商品販売データ処理装置も二台必要であることから、どうしてもシステム規模が大きくなってしまう。そして、繁忙時には効率よく顧客を捌くことができる反面、繁忙時以外の時には一本分のレーンと一個の商品販売データ処理装置とが使用されないため、スペース効率が高いとは言えない。
【００１０】
また、いわゆる二人制と呼ばれる顧客応対方式では、オペレータとキャッシャとに役割分担することで顧客を効率よく捌いているだけであるので、例えば二人の顧客のための商品販売データ処理を並列に実行するようなことはできない。このため、ある程度は効率的に顧客を捌くことはできるが、例えば効率性を二倍にするというような大きな効果は見込めない。
【００１１】
加えて、例えばコンビニエンスストアでの使用態様を考慮すると、一人のキャッシャが複数台の商品販売データ処理装置を扱うようなシステムも、いわゆる二人制と呼ばれる顧客応対方式も、いずれも適当な使用態様とは言えない。
【００１２】
本発明の目的は、大規模な装置を用いることなく、効率よく顧客を捌くことができる商品販売データ処理装置を得ることである。
【００１３】
【課題を解決するための手段】
本発明は、入力された商品データに基づいて商品販売データ処理を実行するデータ処理部を備えた商品販売データ処理装置において、顧客に対して情報を表示する液晶表示パネルを有する顧客用表示器と、データを入力する第１の入力手段（例えば、コードデータ用のスキャナ、キーボード、タッチパネル等）と、バッテリを駆動源として無線通信によってデータを入力するデータを入力する第２の入力手段（例えば、コードデータ用のスキャナ、キーボード、タッチパネル等）とを備え、第１の入力手段によって入力された商品データに基づく商品販売情報と第２の入力手段によって入力された商品データに基づく商品販売情報とを右側表示と左側表示とに分けて顧客用表示器に表示させ、第１の入力手段によって入力された商品データに基づく商品販売データ処理と第２の入力手段によって入力された商品データに基づく商品販売データ処理とを別個独立して実行するデュアルモードにデータ処理部をモード設定可能とし、第１の入力手段及びこれに対応する側の表示を一人に顧客に割り当て、第２の入力手段及びこれに対応する側の表示をもう一人の別の顧客に割り当て、一台の商品販売データ処理装置によって二人の顧客を捌くことができるようにした。本発明は、また、データ処理部がデュアルモードにモード設定された場合、顧客用表示器が有する液晶表示パネルにおける液晶の透過率を低下させ、あるいは、液晶表示パネルのバックライトの輝度を低下させ、これによって液晶表示パネルの視野角を狭め、単一の顧客用表示器の表示を隣り合って見ることになる二人の顧客のそれぞれの商品販売情報を、隣の顧客が見えにくくなるようにした。
【００１４】
【発明の実施の形態】
本発明の実施の一形態を図１ないし図２０に基づいて説明する。本実施の形態は、コンビニエンスストア等で使用されるＰＯＳ端末１０１への適用例である。そこで、ＰＯＳ端末１０１について説明した後、その使用形態について言及することとする。
【００１５】
〔商品販売データ処理としてのＰＯＳ端末１０１〕
まず、ＰＯＳ端末１０１について図１ないし図２１を参照して説明する。
【００１６】
図１は、ＰＯＳ端末１０１及びドロワ２０１の外観を示す斜視図である。
【００１７】
図１に示すように、本実施の形態のＰＯＳ端末１０１は、接客用のテーブルカウンタ１００１に載置されたドロワ２０１の上に設置されている。そして、本実施の形態のＰＯＳ端末１０１は、一台で、一人のオペレータが一人の顧客に応対する使用態様（単独モードでの使用態様）と二人のオペレータが二人の顧客にそれぞれ応対する使用態様（デュアルモードでの使用態様）との二種類の使用態様を許容する。そこで、ＰＯＳ端末１０１は、商品販売データ処理に際して、データの入力、データの表示、その他のデータ処理について、一台二役としての機能を奏する。なお、ドロワ２０１については、図示しないラッチ機構が開放されると図示しない圧縮スプリングの伸び力に応じて引出し２０２が引き出される一般的な構造のものと変わりないので、その説明は省略する。
【００１８】
図１に示すように、このＰＯＳ端末１０１における本体ケース１０２の上面には、操作者側から見て左側に、プリンタとしてのサーマルプリンタ１０３（図５参照）を内部に収容するプリンタカバー１０４が設けられており、そのプリンタカバー１０４にはサーマルプリンタ１０３から印字発行されるレシート１０５（図２１参照）を発行するレシート発行口１０６が形成されている。また、ＰＯＳ端末１０１における本体ケース１０２の上部には、表示器として、ＬＣＤ（Ｌｉｑｕｉｄ  Ｃｒｙｓｔａｌ  Ｄｉｓｐｌａｙ）であってチルト自在なオペレータ用表示器１０７と図示しない鍵によって切り替え操作されるモードキー１０８とが設けられている。モードキー１０８は、図示しない鍵によって切り替えられてＰＯＳ端末１０１の動作モード（登録、点検、精算等）を切り替えるための入力部である。
【００１９】
図２は、キーボードの平面図である。
【００２０】
本実施の形態のＰＯＳ端末１０１では、データを入力する入力手段として、タッチパネル１０９、キーボード１１０及びバーコードスキャナ１１１を有する。
【００２１】
タッチパネル１０９は、オペレータ用表示器１０７の表示面上に積層配置されている。タッチパネル１０９付きのオペレータ用表示器１０７は、オペレータ用表示器１０７に表示されるボタン等とタッチパネル１０９の座標との位置関係の同期をとることによって、キーボードと同様の機能を奏することになる。
【００２２】
キーボード１１０は、図２に示すように、扁平円形筐体状のキーボードハウジング１１２の上面に、テンキー１１３、クリアキー１１４、エンターキー１１５、及び客層キー１１６という各種のキーが配列されて構成されている。客層キー１１６は、１０種類の客層の入力が可能であり、締めキーを兼ねている。このようなキーボード１１０は、無線によってＰＯＳ端末１０１側に情報を送信する。
【００２３】
バーコードスキャナ１１１は、図示しない商品に付されたデータコードとしてのバーコードを光学的に読み取り可能な構造のものであり、本実施の形態では、片手で操作可能なハンディタイプのバーコードスキャナ１１１が用いられている。このようなバーコードスキャナ１１１は、無線によってＰＯＳ端末１０１側に情報を送信する。
【００２４】
ここで、前述したように、本実施の形態のＰＯＳ端末１０１は、一人のオペレータが一人の顧客に応対する使用態様と二人のオペレータが二人の顧客にそれぞれ応対する使用態様との二種類の使用態様を許容する。そこで、本実施の形態では、二人のオペレータが二人の顧客にそれぞれ応対する使用態様において、オペレータ用表示器１０７の表示が左右に二分割される。そして、オペレータ用表示器１０７の表示がそのような左右二分割される場合には、タッチパネル１０９の入力機能も右用と左用とに分離されることになる。このようなタッチパネル１０９の入力機能に関する左右の分離は、後述するソフトウェア制御によって実行される。また、キーボード１１０及びバーコードスキャナ１１１については、右用と左用とに同一のものが二つ設けられている。オペレータがＰＯＳ端末１０１に向かって右側に置かれるキーボード１１０及びバーコードスキャナ１１１は右用、オペレータがＰＯＳ端末１０１に向かって左側に置かれるキーボード１１０及びバーコードスキャナ１１１は左用である。
【００２５】
こうして、タッチパネル１０９、キーボード１１０及びバーコードスキャナ１１１は、右用と左用とに役割分担されることになる。ここでは、便宜上、右に割り当てられてタッチパネル１０９の入力領域、右用のキーボード１１０及び右用のバーコードスキャナ１１１を第１の入力手段１０９ａ、１１０ａ、１１１ａと呼び、左に割り当てられたタッチパネル１０９、左用のキーボード１１０及び左用のバーコードスキャナ１１１を第２の入力手段１０９ｂ、１１０ｂ、１１１ｂと呼ぶことにする。そして、便宜上、第１の入力手段を構成するキーボード１１０ａが含んでいる締めキーとして機能する客層キー１１６を第１の締めキー１１６ａと呼び、第２の入力手段を構成するキーボード１１０ｂが含んでいる締めキーとして機能する客層キー１１６を第２の締めキー１１６ｂと呼ぶことにする。
【００２６】
図３は、ＰＯＳ端末１０１及びドロワ２０１の外観の一部を示す斜視図である。
【００２７】
本実施の形態のＰＯＳ端末１０１は、キーボード１１０、バーコードスキャナ１１１、及びレシート発行口１０６から発行されるレシート１０５が右用なのか左用なのかを示すためのＬＥＤからなる左右表示部１１７、１１８、１１９を備えている。つまり、キーボード１１０は左右表示部１１７を備え、この左右表示部１１７は、右用である第１のキーボード１１０ａには右用である第１の左右表示部１１７ａ、左用である第２のキーボード１１０ｂには左用である第２の左右表示部１１７ｂが割り当てられている。また、バーコードスキャナ１１１は左右表示部１１８を備え、この左右表示部１１８は、右用である第１のバーコードスキャナ１１１ａには右用である第１の左右表示部１１８ａが割り当てられ、左用である第２のバーコードスキャナ１１１ｂには左用である第２の左右表示部１１８ｂが割り当てられている。そして、レシート発行口１０６の近傍には、レシート発行口１０６の右側に位置する第１の左右表示部１１９ａと左側に位置する第２の左右表示部１１９ｂとから構成される左右表示部１１９が配設されている。ここで、一例として、第１の左右表示部１１７ａ、１１８ａ、１１９ａは緑色に発光するＬＥＤによって構成され、第２の左右表示部１１７ｂ、１１８ｂ、１１９ｂは橙色に発光するＬＥＤによって構成されている。
【００２８】
図４は、ＰＯＳ端末１０１及びドロワ２０１の顧客側から見た背面斜視図である。
【００２９】
図４に示すように、ＰＯＳ端末１０１の背面には、表示器として、液晶表示パネル１２０Ａを有する顧客用表示器１２０が設けられている。また、ＰＯＳ端末１０１の背面には、顧客用表示器１２０の中央下部に、非接触カード用のスキャナパッド１２１も設けられている。
【００３０】
ここで、前述したように、本実施の形態のＰＯＳ端末１０１は、一人のオペレータが一人の顧客に応対する使用態様と二人のオペレータが二人の顧客にそれぞれ応対する使用態様との二種類の使用態様を許容する。そこで、本実施の形態では、二人のオペレータが二人の顧客にそれぞれ応対する使用態様において、オペレータ用表示器１０７のみならず、顧客用表示器１２０の表示も左右に二分割される。
【００３１】
続いて、このような構成のＰＯＳ端末１０１に内蔵される各部の電気的接続について図５を参照して説明する。図５は、ＰＯＳ端末１０１に内蔵される各部の電気的接続を示すブロック図である。
【００３２】
図５に示すように、本実施の形態のＰＯＳ端末１０１は、データ処理部を構成するＭｉｃｒｏｃｏｍｐｕｔｅｒ（以下、マイコンという。）１５１を内蔵し、このマイコン１５１が各部を駆動制御する。マイコン１５１は、各部を集中的に制御するＣＰＵ（Ｃｅｎｔｒａｌ  Ｐｒｏｃｅｓｓｉｎｇ  Ｕｎｉｔ）１５２に、アドレスバス、データバス等のバスライン１５３を介して、起動プログラム等の固定的データを予め格納するＲＯＭ（Ｒｅａｄ  Ｏｎｌｙ  Ｍｅｍｏｒｙ）１５４と、売上バッファや印字バッファ等の各種バッファやフラグ領域を構成して各種データを書き換え自在に格納するＲＡＭ（Ｒａｎｄｏｍ  Ａｃｃｅｓｓ  Ｍｅｍｏｒｙ）１５５と、日付や時刻を計時するタイマ１５６とが接続されて構成されている。なお、ＲＡＭ１５５は、バッテリ（図示せず）によってバックアップされている。
【００３３】
また、ＣＰＵ１５２に接続されたバスライン１５３には記憶媒体であるＨＤＤ（ＨａｒｄＤｉｓｋ  Ｄｒｉｖｅ）１５７が接続されており、このＨＤＤ１５７にはマイコン１５１を動作させる制御プログラムの他に、各種データファイルも格納されている。各種データファイルとしては、商品マスタファイル、売上ファイル、画面データファイル等が格納されている。特に図示しないが、商品マスタファイルは、商品の商品コード毎に商品名、単価、部門コード等を対応付けて記憶保持するファイル構造を備える。売上ファイルは、売上明細や売上金額等の商品売上履歴を記憶保持するファイル構造を備える。画面データファイルは、オペレータ用表示器１０７や顧客用表示器１２０にそれぞれ表示する各種の表示データをその表示画面の一画面である“ページ”単位で記憶保持するファイル構造を備える。
【００３４】
ＨＤＤ１５７に格納された制御プログラムは、ＰＯＳ端末１０１の起動時に商品マスタファイル等とともにＲＡＭ１５５に書き込まれ、これによってマイコン１５１による各部の駆動制御が可能な状態となる。次に、マイコン１５１によって駆動制御される各部を説明する。
【００３５】
オペレータ用表示器１０７は、オペレータ用表示コントローラ１５８を介してバスライン１５３に接続され、マイコン１５１からの表示データがオペレータ用表示コントローラ１５８に入力されると、オペレータ用表示コントローラ１５８に駆動されて所定事項を表示する。
【００３６】
タッチパネル１０９は、パネルコントローラ１５９を介してバスライン１５３に接続され、パネルコントローラ１５９の動作によって、操作者によりタッチされたパネル上のＸＹ座標の位置を認識して座標データ取得し、この取得された座標データに応じた信号をマイコン１５１に出力する。マイコン１５１に信号が入力されると、マイコン１５１は信号に基づいた所定の処理を実行する。
【００３７】
顧客用表示器１２０は、顧客用表示コントローラ１６０を介してバスライン１５３に接続され、マイコン１５１からの客側表示データが顧客用表示コントローラ１６０に入力されると、顧客用表示コントローラ１６０に駆動されて所定事項を表示する。
【００３８】
ここで、二人のオペレータが二人の顧客にそれぞれ応対する使用態様においては、オペレータ用表示器１０７及び顧客用表示器１２０の表示が左右に二分割され、タッチパネル１０９の入力機能も右用と左用とに分離されることは前述した通りである。このような二分割処理は、情報を表示しようとするオペレータ用表示器１０７及び顧客用表示器１２０の座標位置を制御し、データを入力するタッチパネル１０９の座標位置を制御することによって容易に実現される。もっとも、特にオペレータ用表示器１０７及び顧客用表示器１２０に関しては、結果的に情報が二分割されて表示されれば良いため、そのような情報表示を実現させ得る技術、例えばポップアップ表示技術など、各種の技術を用いて二分割表示を行なうことが可能である。
【００３９】
モードキー１０８は、モードキーコントローラ１６１を介してバスライン１５３に接続され、モードキーコントローラ１６１の動作によって切り替え位置に応じた信号をマイコン１５１に入力する。マイコン１５１は、モードキー１０８からの出力信号に応じて、ＰＯＳ端末１０１の動作モードを登録モード、設定モード、精算モード、点検モード等の各業務モードに設定する。
【００４０】
ＰＯＳ端末１０１の背面側に設けられた非接触カード用のスキャナパッド１２１は、スキャナパッドコントローラ１６２を介してバスライン１５３に接続され、スキャナパッドコントローラ１６２の動作によってマイコン１５１に対して非接触型カードに記憶された情報を出力する。
【００４１】
ＰＯＳ端末１０１に内蔵されたサーマルプリンタ１０３は、プリンタコントローラ１６３を介してバスライン１５３に接続され、マイコン１５１によって駆動制御される。さらに、このサーマルプリンタ１０３には、カッタ部（図示せず）が内蔵されており、このカッタ部もマイコン１５１によって駆動制御される。これにより、サーマルプリンタ１０３は、図示しない長尺紙であるレシート用紙にレシートとしての必要事項を印字し、これを切断してレシート発行口１０６よりレシートとして発行するレシートプリンタの機能を発揮する。
【００４２】
サーマルプリンタ１０３におけるレシート発行口１０６の近傍に配置された第１の左右表示部１１９ａと第２の左右表示部１１９ｂとから構成される左右表示部１１９（ＬＥＤ）は、ＬＥＤコントローラ１６４を介してバスライン１５３に接続され、マイコン１５１によって駆動制御される。
【００４３】
ドロワ２０１は、ドロワコントローラ１６９を介してバスライン１５３に接続され、マイコン１５１によって駆動制御される。ドロワコントローラ１６９は、ＣＰＵ１５２の命令でドロワオープン信号をドロワ２０１に出力する。ドロワ２０１は、ドロワオープン信号を受信すると、その図示しないソレノイドが駆動され、図示しないラッチ機構による引出し２０２のラッチを開放する。これにより、引出し２０２は、ドロワ２０１が内蔵する図示しない圧縮スプリングの伸び力によって付勢され、開放される。
【００４４】
次いで、キーボード１１０及びバーコードスキャナ１１１は、前述したように、ＰＯＳ端末１０１のマイコン１５１に無線を介してデータを送信する。そこで、本実施の形態では、マイコン１５１にバスライン１５３を介して無線通信インターフェース１６５が接続され、この無線通信インターフェース１６５に無線通信回路１６６が接続されている。無線通信回路１６６は、第１の入力手段を構成する第１のキーボード１１０ａ及び第１のバーコードスキャナ１１１ａと、第２の入力手段を構成する第２のキーボード１１０ｂ及び第２のバーコードスキャナ１１１ｂとの間での無線通信を可能とする。そこで、それらの第１のキーボード１１０ａ、第１のバーコードスキャナ１１１ａ、第２のキーボード１１０ｂ及び第２のバーコードスキャナ１１１ｂも、それぞれ図示しない無線通信回路を内蔵しており、それぞれある特定の周波数帯を使用してＰＯＳ端末１０１側の無線通信回路１６６と無線通信可能となっている。このように、キーボード１１０及びバーコードスキャナ１１１は、ＰＯＳ端末１０１のマイコン１５１に無線を介してデータを送信するという構造上、それぞれバッテリ（図示せず）を内蔵し、このバッテリを駆動源として無線通信動作を実行する。なお、キーボード１１０及びバーコードスキャナ１１１とＰＯＳ端末１０１側との間の無線通信については、既存の技術なのでその詳細は省略する。
【００４５】
また、バスライン１５３には通信インターフェース１６７も接続され、マイコン１５１によって制御される。この通信インターフェース１６７は、ホストコンピュータ等の外部機器が接続されてこの外部機器とＬＡＮ回線を介してマイコン１５１との間でのデータの送受信を実現可能としたりする。
【００４６】
さらに、ＰＯＳ端末１０１には、ＲＯＭ１５４及びＲＡＭ１５５とは別に、ＶＲＡＭ（Ｖｉｄｅｏ  Ｒａｎｄｏｍ  Ａｃｃｅｓｓ  Ｍｅｍｏｒｙ）１６８がバスライン１５３を介してマイコン１５１に接続されている。ＶＲＡＭ１６８は、一例として、ＨＤＤ１５７の画面データファイルに記憶されている“ページ”単位の表示データに基づき、商品マスタファイルや商品画像ファイルから抽出されたその表示データに含まれる品名、単価、画像データ等を高速でビットマップ展開し、オペレータ用表示コントローラ１５８及び顧客用表示コントローラ１６０に対して出力する。そして、オペレータ用表示コントローラ１５８及び顧客用表示コントローラ１６０に対して出力された表示データは、オペレータ用表示器１０７及び顧客用表示器１２０において表示されることになる。
【００４７】
図６は、顧客用表示コントローラ１６０の回路構成を概略的に示す回路図である。
【００４８】
顧客用表示コントローラ１６０について詳しく説明する。前述したように、顧客用表示コントローラ１６０は、バスライン１５３を介してマイコン１５１から客側表示データを受信し、受信した客側表示データに基づいて顧客用表示器１２０を駆動制御し、この顧客用表示器１２０に客側表示データに従った表示出力を行わせる。このような顧客用表示コントローラ１６０は、顧客用表示器１２０が有する液晶表示パネル１２０Ａがマトリクス状に備えて各画素を構成する複数個の液晶の透過率を制御する。つまり、液晶表示パネル１２０Ａの液晶は、電圧を印加されることによって透過率を増し、液晶表示パネル１２０Ａの表示状態を変動させる。そこで、客側表示データに基づいてそのような各画素を構成する液晶の透過率を選択的に制御することによって、液晶表示パネル１２０Ａに客側表示データに応じた画像を表示することが可能となる。そのための回路構成として、本実施の形態の顧客用表示コントローラ１６０は、液晶表示パネル１２０Ａを左右方向にエリア１〜６までに６分割し、これらのエリア１〜６に対応させてドライバＩＣ１６０ａを設けている。これらのドライバＩＣ１６０ａは、その共通電極１６０ｂに規定電圧が印加され、図示しない個別電極に客側表示データに基づいて生成された駆動電圧が印加されることで、受け持ちエリア１〜６までのうちの受け持ちエリアにおける液晶をマトリクス駆動してその透過率を変動させる。
【００４９】
ここで、本実施の形態では、液晶表示パネル１２０Ａにおける液晶の透過率をエリア１〜６毎に選択的に低下させる回路構成を有している。つまり、エリア１及び６は液晶表示パネル１２０Ａの両端側のエリアであり、エリア２及び５はエリア１及び６の内側のエリアであり、エリア３及び４は液晶表示パネル１２０Ａの中央部のエリアである。液晶表示パネル１２０Ａにおける液晶の透過率をエリア１〜６毎に低下させる回路は、液晶表示パネル１２０Ａの中央部のエリアであるエリア３及び４の透過率を変化させることなく、エリア２及び５の透過率をエリア３及び４の透過率よりも選択的に低くし、エリア１及び６の透過率をエリア２及び５の透過率よりも選択的に低くする回路構成を有している。そのための回路構成として、顧客用表示コントローラ１６０は、各エリア１〜６におけるドライバＩＣ１６０ａの共通電極１６０ｂに印加する規定電圧として図示しない電源から供給される５Ｖを用意し、中央部のエリア３及び４の両側に位置する中間エリア２及び５に対応するドライバＩＣ１６０ａにはその規定電圧を５Ｖと４Ｖとに選択的に切替える電圧切替回路１６０ｃを有し、中間エリア２及び５の両側に位置する両端エリア１及び６に対応するドライバＩＣ１６０ａにはその規定電圧を５Ｖと３Ｖとに選択的に切替える電圧切替回路１６０ｄを有している。
【００５０】
図７は、顧客用表示コントローラ１６０が備える電圧切替回路１６０ｃ、１６０ｄを概略的に示す回路図である。
【００５１】
電圧切替回路１６０ｃは、アナログスイッチＩＣ１６０ｅと＋４ＶレギュレータＩＣ１６０ｆとを有する。アナログスイッチＩＣ１６０ｅには、規定電圧である＋５Ｖと、この＋５Ｖが＋４ＶレギュレータＩＣ１６０ｆで規制されて得られた４Ｖとが入力される。そして、アナログスイッチＩＣ１６０ｅには、マイコン１５１からバスライン１５３を介してコントロール信号が入力される。このコントロール信号は、アナログスイッチＩＣ１６０ｅを切り替え、規定電圧である＋５Ｖと＋４ＶレギュレータＩＣ１６０ｆで規制されて得られた４ＶとのうちのいずれをドライバＩＣ１６０ａの共通電極１６０ｂに供給するかを決定する。
【００５２】
電圧切替回路１６０ｄは、アナログスイッチＩＣ１６０ｇと＋３ＶレギュレータＩＣ１６０ｈとを有する。アナログスイッチＩＣ１６０ｇには、規定電圧である＋５Ｖと、この＋５Ｖが＋３ＶレギュレータＩＣ１６０ｈで規制されて得られた３Ｖとが入力される。そして、アナログスイッチＩＣ１６０ｇには、マイコン１５１からバスライン１５３を介してコントロール信号が入力される。このコントロール信号は、アナログスイッチＩＣ１６０ｇを切り替え、規定電圧である＋５Ｖと＋３ＶレギュレータＩＣ１６０ｈで規制されて得られた３ＶとのうちのいずれをドライバＩＣ１６０ａの共通電極１６０ｂに供給するかを決定する。
【００５３】
次に、ＰＯＳ端末１０１のＨＤＤ１５７に格納された制御プログラムがマイコン１５１に実行させる機能について、図８ないし図１１及び図１４に示すフローチャートに基づいて説明する。この場合、図１５及び図１７に示すオペレータ用表示器１０７の表示領域に表示される表示画面の模式図、及び図１６、図１８ないし図２０に示す顧客用表示器１２０の表示領域に表示される表示画面の模式図を参照し、必要に応じて、図１ないし図７も適宜用いる。
【００５４】
起動後のＰＯＳ端末１０１では、モードキー１０８の切り替え位置に応じて動作モードが選択される。つまり、モードキー１０８の切り替え位置によって発生する出力信号に応じ、マイコン１５１がＰＯＳ端末１０１の動作モードを登録モード、設定モード、精算モード、点検モード等に設定する。本実施の形態においては、登録モードを除く各モードの処理として、従来のＰＯＳ端末によって行なわれる処理と同様の処理についてはその説明を省略する。
【００５５】
これに対して、本実施の形態では、登録モードにおいて、一人のオペレータが一人の顧客に応対する使用態様に対応する単独モードと、二人のオペレータが二人の顧客にそれぞれ応対する使用態様に対応するデュアルモードとの二種類の動作モードが許容される。
【００５６】
図８は、登録モードにおける単独モードとデュアルモードとのモード選択処理を示すフローチャートである。
【００５７】
モードキー１０８の切り替え操作によって、ＰＯＳ端末１０１の動作モードが登録モードに設定されている場合、オペレータ用表示器１０７に表示される初期画面表示には、単独使用とデュアル使用との二種類を選択可能とする選択画面が表示される（図示せず）。そこで、単独使用が選択されると（ステップＳ１０１のＹ）、マイコン１５１はＰＯＳ端末１０１を単独モードにモード設定し（ステップＳ１０２）、デュアルモードが選択されると（ステップＳ１０１のＮ）、マイコン１５１はＰＯＳ端末１０１をデュアルモードにモード設定する（ステップＳ１０３）。つまり、本実施の形態のＰＯＳ端末１０１では、単独モードとデュアルモードとが選択可能である。
【００５８】
図９は、単独モードでの処理を示すフローチャートである。また、図１５は、単独モードでのオペレータ用表示器１０７における画面表示例を示す模式図であり、図１６は、単独モードでの顧客用表示器１２０における画面表示例を示す模式図である。
【００５９】
単独モードでは、まず、マイコン１５１は、第１の入力手段を構成するキーボード１０１ａ及びバーコードスキャナ１１１ａにそれらの第１の左右表示部１１７ａ、１１８ａの点灯信号を送信し、それらの第１の左右表示部１１７ａ、１１８ａのみ点灯させる（ステップＳ２０１）。これにより、第１の左右表示部１１７ａ、１１８ａを構成するＬＥＤが緑色に発光し、オペレータには、二つ設けられているキーボード１０１ａ及びバーコードスキャナ１１１ａのうち、第１の入力手段を構成するキーボード１０１ａ及びバーコードスキャナ１１１ａの方のみ使用可能であることが報知される。
【００６０】
次いで、マイコン１５１は、オペレータ用表示器１０７及び顧客用表示器１２０を全画面表示に設定する（ステップＳ２０２）。全画面表示というのは、オペレータ用表示器１０７及び顧客用表示器１２０に、一人の顧客に対する取引情報のみを表示するような表示形態を意味する。このような単独モードでは、ＨＤＤ１５７に格納された画像データファイルから呼び出した登録処理用の画面がオペレータ用表示器１０７及び顧客用表示器１２０に全画面表示される。
【００６１】
図１５は、オペレータ用表示器１０７における全画面表示の一例であり、図１６は、単独モードでの顧客用表示器１２０における画面表示例を示す模式図である。
【００６２】
図１５に示すように、オペレータ用表示器１０７における全画面表示は、日付時刻や責任者等のような書誌情報を示す書誌情報欄１０７ａ、８種類のＰＬＵグループをＰＬＵグループタグＡとして表示するＰＬＵグループ欄１０７ｂ、商品情報を表示する商品情報欄１０７ｃ、購入合計金額と消費税と預かり金額と釣り銭金額とを表示する取引情報欄１０７ｄ、及び割引入力欄１０７ｅを含む。
【００６３】
マイコン１５１は、購入される商品の購入履歴を商品情報欄１０７ｃに表示し、その購入履歴によって決定される購入合計金額、消費税、預かり金額及び釣り銭金額を取引情報欄１０７ｄに表示する。また、マイコン１５１は、ＰＬＵグループタグＡがタッチパネル１０９でタッチ選択された場合には、そのＰＬＵグループが含む商品の商品情報をポップアップ表示する。ポップアップ表示された商品の商品情報がタッチパネル１０９でタッチ選択されると、その商品の商品コードが入力され、取引情報欄１０７ｄの表示が更新される。商品情報欄１０７ｃに表示される情報は、その商品情報欄１０７ｃに含まれているスクロールキーＢによってスクロール可能である。
【００６４】
また、割引入力欄１０７ｅは、ビール券、クーポン券及び商品券が割り当てられたタグＣと、タグＣで選択された種類のビール券、クーポン券又は商品券の金額、例えばタグＣでビール券が選択された場合には５００円ビール券、１０００円ビール券、…というようなビール券の金額を示す６列３行の金額キーＤとを有する。金額キーＤは、割引入力欄１０７ｅに表示されるスクロールキーＥによってスクロールされる。マイコン１５１は、タグＣで選択されたビール券、クーポン券又は商品券の金額を金額キーＤに表示し、金額キーＤがタッチパネル１０９でタッチ選択されると、選択された金額を購入金額から減額し、取引情報欄１０７ｄの表示を更新する。
【００６５】
図１６に示すように、顧客用表示器１２０における全画面表示は、日付時刻を示す日付時刻欄１２０ａ、直近に取引された商品の商品名、数量及び単価を表示するカレント表示欄１２０ｂ、購入する商品の履歴を表示する購入履歴欄１２０ｃ、購入合計金額と消費税と預かり金額と釣り銭金額とを表示する取引情報欄１２０ｄ、コマーシャル情報としてのコマーシャルメッセージを表示するコマーシャルメッセージ欄１２０ｅ、及びその他のメッセージを表示するメッセージ欄１２０ｆを含む。
【００６６】
次いで、マイコン１５１は、顧客用表示器１２０のコマーシャルメッセージ欄１２０ｅに、コマーシャルメッセージを表示出力する（ステップＳ２０３）。コマーシャルメッセージは、例えば通信インターフェース１６７を介して外部機器から取得したコマーシャルメッセージの静止画像又は動画像を顧客用表示器１２０のコマーシャルメッセージ欄１２０ｅに表示出力するようにしても、例えばＨＤＤ１５７に予め記憶保存しておいたコマーシャルメッセージの静止画像又は動画像を顧客用表示器１２０のコマーシャルメッセージ欄１２０ｅに表示出力するようにしても、いずれでも良い。
【００６７】
次いで、マイコン１５１は、商品コード入力に待機する（ステップＳ２０４）。商品コード入力は、第１の入力手段を構成するバーコードスキャナ１１１ａによる商品に付されたバーコードのスキャナ入力又はキーボード１１０ａによる商品コードのキー入力によって実行される。その他、オペレータ用表示器１０７に表示される商品コードの入力を許容する項目に対応する位置でのタッチパネル１０９によるタッチ入力によっても商品コードの入力が可能である。
【００６８】
商品コードの入力があったと判定された場合（ステップＳ２０４のＹ）、ＲＡＭ１５５の売上バッファにおけるレジスト領域に入力された商品コードを一時的にレジストして商品データを蓄積する処理がマイコン１５１によって実行される（ステップＳ２０５）。そして、取引データ計算が実行され（ステップＳ２０６）、オペレータ用表示器１０７及び顧客用表示器１２０の画面表示が更新される（ステップＳ２０７）。より詳しくは、マイコン１５１は、オペレータ用表示器１０７の商品情報欄１０７ｃ及び取引情報欄１０７ｄの表示内容を更新し、顧客用表示器１２０のカレント表示欄１２０ｂ、購入履歴欄１２０ｃ及び取引情報欄１２０ｄの表示内容を更新する。
【００６９】
その後、マイコン１５１は、預かり金額の入力（ステップＳ２０８のＹ）があるまで商品コード入力（ステップＳ２０４）に待機する。預かり金額の入力は、実際の取引において、顧客から決済のための金額を預かったオペレータがキーボード１１０中のエンターキー１１５を押下し、キーボード１１０中のテンキー１１３によってその預かり金額を入力することによってなされる。単独モードでは、第１の入力手段を構成する第１のキーボード１１０ａによって預かり金額が入力される。
【００７０】
そして、このようなテンキー１１３による預かり金額の入力があった場合には（ステップＳ２０８のＹ）、マイコン１５１は入力金額をＲＡＭ１５５にレジストし（ステップＳ２０９）、締めキー１１６ａの入力の有無を判定する（ステップＳ２１０）。締めキー１１６ａは、商品情報の入力があった商品に関する取引の締めを宣言して決済を行うためのキーであり、具体的には客層キー１１６が締めキーとして機能する。単独モードでは、第１の入力手段を構成する第１のキーボード１１０ａに含まれている第１の締めキー１１６ａによって取引の締めが宣言される。
【００７１】
次いで、締めキー１１６ａの入力があった場合には（ステップＳ２１０のＹ）、マイコン１５１は、釣り銭金額を計算してオペレータ用表示器１０７の取引情報欄１０７ｄ及び顧客用表示器１２０の取引情報欄１２０ｄの「釣り」の欄に釣り銭金額を表示する（ステップＳ２１１）。
【００７２】
その後、マイコン１５１は、ＲＡＭ１５５のワークエリアを利用して販売データの仮登録を実行し（ステップＳ２１２）、サーマルプリンタ１０３を駆動制御してレシート１０５の印字発行を行ない（ステップＳ２１３）、ドロワコントローラ１６９にドロワオープン信号を出力させてドロワ２０１の引出しを開放する（ステップＳ２１４）。ステップＳ２１３の処理により、レシート１０５は、レシート発行口１０６から発行される。
【００７３】
図１０はデュアルモードでの処理を示すフローチャート、図１１はデュアルモードでの視野角調整処理を示すフローチャート、図１４はデュアルモードでの右側処理と左側処理とを示すフローチャートである。また、図１２（ａ）は視野角調整処理を実行しない場合の顧客用表示器の視野角を示す模式図、図１２（ｂ）は視野角調整処理を実行した場合の顧客用表示器の視野角を示す模式図であり、図１７はデュアルモードでのオペレータ用表示器１０７における画面表示例を示す模式図、図１８〜図２０はデュアルモードでの顧客用表示器１２０における画面表示例をそれぞれ示す模式図である。
【００７４】
デュアルモードでは、まず、図１０のフローチャートに示す処理が実行される。つまり、マイコン１５１は、第１の入力手段を構成するキーボード１０１ａ及びバーコードスキャナ１１１ａにそれらの第１の左右表示部１１７ａ、１１８ａの点灯信号を送信し、また、第２の入力手段を構成するキーボード１０１ａ及びバーコードスキャナ１１１ａにそれらの第２の左右表示部１１７ｂ、１１８ｂの点灯信号を送信し、それらの第１の左右表示部１１７ａ、１１８ａと第２の左右表示部１１７ｂ、１１８ｂとの両者を点灯させる（ステップＳ３０１）。これにより、第１の左右表示部１１７ａ、１１８ａを構成するＬＥＤは緑色に発光し、第２の左右表示部１１７ｂ、１１８ｂを構成するＬＥＤは橙色に発光する。このため、オペレータには、二つ設けられているキーボード１０１ａ及びバーコードスキャナ１１１ａのうち、第１の入力手段を構成するキーボード１０１ａ及びバーコードスキャナ１１１ａがいずれで第２の入力手段を構成するキーボード１０１ａ及びバーコードスキャナ１１１ａがいずれであるかが示される。
【００７５】
次いで、マイコン１５１は、オペレータ用表示器１０７及び顧客用表示器１２０を分割画面表示に設定する（ステップＳ３０２）。分割画面表示というのは、オペレータ用表示器１０７及び顧客用表示器１２０に、二人のオペレータが二人の顧客にそれぞれ応対するデュアルモードでの表示形態を意味する。このようなデュアルモードでは、ＨＤＤ１５７に格納された画像データファイルから呼び出した登録処理用の画面がオペレータ用表示器１０７及び顧客用表示器１２０に分割画面表示される。
【００７６】
図１７は、デュアルモードでのオペレータ用表示器１０７における分割画面表示の一例であり、図１８ないし図２０は、それぞれ、デュアルモードでの顧客用表示器１２０における画面表示例を示す模式図である。
【００７７】
図１７に示すように、オペレータ用表示器１０７における分割画面表示は、図１５に例示したオペレータ用表示器１０７における全画面表示の内容が左右に分離されて別個に表示される。つまり、オペレータ用表示器１０７の表示内容が右側表示領域１０７Ｒと左側表示領域１０７Ｌとに二分割され、右側表示領域１０７Ｒと左側表示領域１０７Ｌとのそれぞれに図１５に例示したオペレータ用表示器１０７における全画面表示の内容と同一の内容が表示される。もっとも、書誌情報欄１０７ａにおける日付時刻だけは、右側処理と左側処理とに共通であるため、単一表示となる。
【００７８】
具体的には、右側表示領域１０７Ｒと左側表示領域１０７Ｌとのそれぞれには、日付時刻や責任者等のような書誌情報を示す書誌情報欄１０７ａ、８種類のＰＬＵグループをＰＬＵグループタグＡとして表示するＰＬＵグループ欄１０７ｂ、商品情報を表示する商品情報欄１０７ｃ、購入合計金額と消費税と預かり金額と釣り銭金額とを表示する取引情報欄１０７ｄ、及び割引入力欄１０７ｅが表示される。
【００７９】
マイコン１５１は、購入される商品の購入履歴を商品情報欄１０７ｃに表示し、その購入履歴によって決定される購入合計金額、消費税、預かり金額及び釣り銭金額を取引情報欄１０７ｄに表示する。また、マイコン１５１は、ＰＬＵグループタグＡがタッチパネル１０９でタッチ選択された場合には、そのＰＬＵグループが含む商品の商品情報をポップアップ表示する。ポップアップ表示された商品の商品情報がタッチパネル１０９でタッチ選択されると、その商品の商品コードが入力され、取引情報欄１０７ｄの表示が更新される。商品情報欄１０７ｃに表示される情報は、その商品情報欄１０７ｃに含まれているスクロールキーＢによってスクロール可能である。
【００８０】
また、割引入力欄１０７ｅは、ビール券、クーポン券及び商品券が割り当てられたタグＣと、タグＣで選択された種類のビール券、クーポン券又は商品券の金額、例えばタグＣでビール券が選択された場合には５００円ビール券、１０００円ビール券、…というようなビール券の金額を示す６列３行の金額キーＤとを有する。金額キーＤは、割引入力欄１０７ｅに表示されるスクロールキーＥによってスクロールされる。マイコン１５１は、タグＣで選択されたビール券、クーポン券又は商品券の金額を金額キーＤに表示し、金額キーＤがタッチパネル１０９でタッチ選択されると、選択された金額を購入金額から減額し、取引情報欄１０７ｄの表示を更新する。
【００８１】
図１８に示すように、顧客用表示器１２０における分割画面表示も、図１６に例示した顧客用表示器１２０における全画面表示の内容が左右に分離されて別個に表示される。つまり、顧客用表示器１２０の表示内容が右側表示領域１２０Ｒと左側表示領域１２０Ｌとに二分割され、右側表示領域１２０Ｒと左側表示領域１２０Ｌとのそれぞれに図１６に例示した顧客用表示器１２０における全画面表示の内容と同一の内容が表示される。もっとも、書誌情報欄１０７ａにおける日付時刻、コマーシャルメッセージ欄１２０ｅに表示されるコマーシャルメッセージ、及びメッセージ欄１２０ｆに表示されるその他のメッセージについては、右側処理と左側処理とに共通であるため、単一表示となる。
【００８２】
具体的には、右側表示領域１０７Ｒと左側表示領域１０７Ｌとのそれぞれには、直近に取引された商品の商品名、数量及び単価を表示するカレント表示欄１２０ｂ、購入する商品の履歴を表示する購入履歴欄１２０ｃ、及び購入合計金額と消費税と預かり金額と釣り銭金額とを表示する取引情報欄１２０ｄが表示される。そして、日付時刻を示す日付時刻欄１２０ａ及びコマーシャルメッセージを表示するコマーシャルメッセージ欄１２０ｅは、右側表示領域１０７Ｒと左側表示領域１０７Ｌとの間に配列され、メッセージ欄１２０ｆはそれらの右側表示領域１０７Ｒと左側表示領域１０７Ｌとコマーシャルメッセージ欄１２０ｅとの下方に表示される。
【００８３】
顧客用表示器１２０における分割画面表示の別の実施の形態として、図１９に例示する分割画面表示や図２０に例示する分割画面表示を採用しても良い。図１９に例示する分割画面表示はコマーシャルメッセージ欄１２０ｅが設けられておらず、図２０に例示する分割画面表示では右側表示領域１０７Ｒと左側表示領域１０７Ｌとが連続的に隣接してその下方にコマーシャルメッセージ欄１２０ｅが配置されている。
【００８４】
そして、本実施の形態では、オペレータ用表示器１０７における右側表示領域１０７Ｒと左側表示領域１０７Ｌとの表示フレーム、及び顧客用表示器１２０における右側表示領域１０７Ｒと左側表示領域１０７Ｌとの表示フレームは、それぞれ別個の色で表示される。つまり、第１の左右表示部１１７ａ、１１８ａを構成するＬＥＤは緑色に発光し、第２の左右表示部１１７ｂ、１１８ｂを構成するＬＥＤは橙色に発光することは前述した通りであり、このような左右の色による識別に合わせ、オペレータ用表示器１０７における右側表示領域１０７Ｒの表示フレームは緑色に表示され、左側表示領域１０７Ｌの表示フレームは橙色に表示される。これに対して、オペレータから見た右側は顧客から見た左側であり、オペレータから見た左側は顧客から見た右側である。そこで、顧客用表示器１２０における右側表示領域１２０Ｒの表示フレームは橙色に表示され、左側表示領域１２０Ｌの表示フレームは緑色に表示される。このような表示色の色分けは、一例として、オペレータ用表示器１０７及び顧客用表示器１２０に分割画面表示されるＨＤＤ１５７に格納された画像データファイルから呼び出した登録処理用の画面を予め色分けすることによって実現する。
【００８５】
ステップＳ３０２での分割画面表示に設定する処理では、マイコン１５１は、オペレータ用表示器１０７と顧客用表示器１２０とを前述したような分割画面表示に設定する。それに加えて、マイコン１５１は、商品販売データ処理の一部として、オペレータから見て右側用の第１の入力手段１０９ａ、１１０ａ、１１１ａによって入力された商品データに基づく商品販売情報とオペレータから見て左側用の第２の入力手段１０９ｂ、１１０ｂ、１１１ｂによって入力された商品データに基づく商品販売情報とを右側表示と左側表示とに分けてオペレータ用表示器１０７と顧客用表示器１２０とに左右反対に表示する。ここに、表示手段の機能が実行される。
【００８６】
また、ステップＳ３０１の処理によって、第１の左右表示部１１７ａ、１１８ａを構成するＬＥＤが緑色に発光し、第２の左右表示部１１７ｂ、１１８ｂを構成するＬＥＤが橙色に発光する。そして、ステップＳ３０１の処理によって、オペレータ用表示器１０７における右側表示領域１０７Ｒの表示フレームは緑色に表示され、左側表示領域１０７Ｌの表示フレームは橙色に表示され、顧客用表示器１２０における右側表示領域１２０Ｒの表示フレームは橙色に表示され、左側表示領域１２０Ｌの表示フレームは緑色に表示される。これにより、オペレータ及び顧客の双方に、右側処理と左側処理とを別個独立して行なう場合の左右の別が明確に示される。ここに、オペレータ用表示器１０７の右側表示領域１０７Ｒに第１の色（本実施の形態では緑色）を含ませて左側表示領域１０７Ｌに第１の色とは異なる第２の色（本実施の形態では橙色）を含ませ、第１の入力手段１０９ａ、１１０ａ、１１１ａと第２の入力手段１０９ｂ、１１０ｂ、１１１ｂとのうち右側に配置する入力手段（本実施の形態では第１の入力手段１０９ａ、１１０ａ、１１１ａ）には第１の色の表示を行ない左側に配置する入力手段（本実施の形態では第２の入力手段１０９ｂ、１１０ｂ、１１１ｂ）には第２の色の表示を行なう左右識別手段の機能が実行される。
【００８７】
次いで、マイコン１５１は、顧客用表示器１２０のコマーシャルメッセージ欄１２０ｅに、コマーシャルメッセージを表示出力する（ステップＳ３０３）。コマーシャルメッセージは、例えば通信インターフェース１６７を介して外部機器から取得したコマーシャルメッセージの静止画像又は動画像を顧客用表示器１２０のコマーシャルメッセージ欄１２０ｅに表示出力するようにしても、例えばＨＤＤ１５７に予め記憶保存しておいたコマーシャルメッセージの静止画像又は動画像を顧客用表示器１２０のコマーシャルメッセージ欄１２０ｅに表示出力するようにしても、いずれでも良い。
【００８８】
デュアルモードでは、図１０に示すフローチャートの処理に続いて、あるいは並行して、図１１のフローチャートに示す処理が実行される。図１１のフローチャートに示す処理は、液晶表示パネル１２０Ａにおける液晶の透過率をエリア１〜６毎に調節する処理である。つまり、図８のフローチャート中のステップＳ１０３で、データ処理部を構成するマイコン１５１がデュアルモードにモード設定され場合、図１１のフローチャートでは、ステップＳ３２１においてデュアルモードへの設定を判定する（ステップＳ３２１のＹ）。そして、顧客用表示コントローラ１６０の電圧切替回路１６０ｄにおいて＋３を選択する処理を実行し、（ステップＳ３２２）、続いて電圧切替回路１６０ｃにおいて＋４を選択する処理を実行する（ステップＳ３２３）。このような選択は、マイコン１５１がバスライン１５３を介して電圧切替回路１６０ｄ及び電圧切替回路ｃにコントロール信号を供給することによって実現される。この場合のコントロール信号は、ドライバＩＣ１６０ａの共通電極１６０ｂに供給する電圧の経路を、＋５Ｖの経路ではなく、電圧切替回路１６０ｄにおいて＋３ＶレギュレータＩＣ１６０ｈの経路に切り替え、電圧切替回路ｃにおいて＋４ＶレギュレータＩＣ１６０ｆの経路に切り替えることを指示する信号である。これにより、液晶表示パネル１２０Ａにおいて、中間エリア２及び５に位置する液晶の透過率は中央エリア３及び４に位置する液晶の透過率よりも低下し、両端エリア１及び６に位置する液晶の透過率は中間エリア２及び５に位置する液晶の透過率よりも低下する。つまり、液晶表示パネル１２０Ａにおいては、中央部よりも両端側の方の液晶の透過率が低下する。
【００８９】
これに対して、データ処理部を構成するマイコン１５１がデュアルモードに設定されている場合、図８のフローチャート中のステップＳ１０２で、マイコン１５１が単独モードにモード設定され場合、図１１のフローチャートでは、ステップＳ３２１においてデュアルモードへの設定でないこと、つまり単独モードへの設定であることを判定する（ステップＳ３２１のＮ）。この場合には、顧客用表示コントローラ１６０の電圧切替回路１６０ｄにおいて＋５を選択する処理を実行し、（ステップＳ３２４）、続いて電圧切替回路１６０ｃにおいて＋５を選択する処理を実行する（ステップＳ３２５）。このような選択は、マイコン１５１がバスライン１５３を介して電圧切替回路１６０ｄ及び電圧切替回路ｃにコントロール信号を供給することによって実現される。この場合のコントロール信号は、ドライバＩＣ１６０ａの共通電極１６０ｂに供給する電圧の経路を、電圧切替回路１６０ｄにおいて＋３ＶレギュレータＩＣ１６０ｈの経路ではなく＋５Ｖの経路に切り替え、電圧切替回路ｃにおいて＋４ＶレギュレータＩＣ１６０ｆの経路ではなく＋５Ｖの経路に切り替えることを指示する信号である。これにより、液晶表示パネル１２０Ａにおいて、各エリア１〜６における液晶の透過率が均一となる。
【００９０】
ここで、液晶表示パネル１２０Ａにおいて液晶の透過率が低下すると、その視野角が狭まる。液晶表示パネル１２０Ａの両側における液晶の透過率が低下する程、視野角が狭まる程度が大きくなる。したがって、図１１のフローチャート中、ステップＳ３２１〜３２３の処理は、データ処理部であるマイコン１５１がデュアルモードにモード設定された場合、顧客用表示器１２０が有する液晶表示パネル１２０Ａにおける液晶の透過率を低下させる視野角調整手段の機能を実行することになる。
【００９１】
図１２（ａ）、（ｂ）は、液晶表示パネル１２０Ａの視野角の広狭を模式的に示している。図１２（ａ）、（ｂ）に例示するように、本実施の形態では、データ処理部を構成するマイコン１５１がデュアルモードにモード設定される状況では、二人の顧客２００１ａ、２００１ｂが顧客用表示器１２０の前に並んで立つことになる。このような状況下では、視野角調整処理を実行しない場合には、図１２（ａ）に例示するように、液晶表示パネル１２０Ａにおける右側表示領域１２０Ｒの視野角は左側に立つ顧客２００１ａまで広がり、液晶表示パネル１２０Ａにおける左側表示領域１２０Ｌの視野角は右側に立つ顧客２００１ｂまで広がってしまう。これにより、右側表示領域１２０Ｒに表示される商品の取引情報は、その取引情報とは基本的に無関係である左側に立つ顧客２００１ａに知られてしまい、逆に、左側表示領域１２０Ｌに表示される商品の取引情報は、その取引情報とは基本的に無関係である右側に立つ顧客２００１ｂに知られてしまう。このため、いずれの顧客２００１ａ、２００１ｂにとっても、それらの者のプライバシーが侵されてしまう。これに対して、本実施の形態では、図１１のステップＳ３２１〜３２３において視野角調整処理が実行される。このため、図１２（ｂ）に例示するように、液晶表示パネル１２０Ａにおける右側表示領域１２０Ｒの視野角は左側に立つ顧客２００１ａまで広がらず、液晶表示パネル１２０Ａにおける左側表示領域１２０Ｌの視野角は右側に立つ顧客２００１ｂまで広がらない。これにより、右側表示領域１２０Ｒに表示される商品の取引情報は、その取引情報とは基本的に無関係である左側に立つ顧客２００１ａに知られることがなく、逆に、左側表示領域１２０Ｌに表示される商品の取引情報は、その取引情報とは基本的に無関係である右側に立つ顧客２００１ｂに知られてしまうことがない。このため、いずれの顧客２００１ａ、２００１ｂにとっても、それらの者のプライバシーが守られる。
【００９２】
図１３は、視野角調整手段を構成する別の回路構成を液晶表示パネル１２０Ａのバックライト構造と共に例示する模式図である。
【００９３】
既に説明した実施の形態では、視野角調整手段は、液晶表示パネル１２０Ａにおける液晶の透過率を低下させることでその視野角を調整する。これに対して、別の実施の形態として、液晶表示パネル１２０Ａのバックライトの輝度を調節してその視野角を調整するようにしても良い。液晶表示パネル１２０Ａのバックライトは、例えば図１３に例示するバックライト構造３００１によって構成されている。このバックライト構造３００１は、液晶表示パネル１２０Ａの左右側方に配置された一対の放電ランプ３００２と、これらの放電ランプ３００２からの照射光を端面に導入する導光手段３００３とから構成されている。導光手段３００３は、放電ランプ３００２からの照射光を端面に導入する図示しない導光板に光を拡散する拡散板等を積層配置した構造を有する。このようなバックライト構造３００１は、商用電源３００４を駆動源とする点灯回路３００５に放電ランプ３００２が付勢されて点灯し、その点灯状態を維持する。そして、放電ランプ３００２と点灯回路３００５との間には調光回路３００６が介在接続され、この調光回路３００６は、データ処理部を構成するマイコン１５１からの調光信号に応じて放電ランプ３００２を調光する。点灯回路３００５及び調光回路３００６自体は、周知の構成なのでその説明を省略する。
【００９４】
このような構造のものでは、調光回路３００６にマイコン１５１から調光信号を付与することで液晶表示パネル１２０Ａの視野角を調整する。つまり、マイコン１５１は、図８のフローチャート中のステップＳ１０３で、デュアルモードにモード設定した場合、バスライン１５３を介して放電ランプ３００２の輝度を低下させるような調光信号を調光回路３００６に出力する。これにより、調光回路３００６は放電ランプ３００２を調光し、その輝度を低下させる。すると、液晶表示パネル１２０Ａの視野角が図１２（ａ）に例示するような状態から図１２（ｂ）に例示するような状態に遷移し、その視野角が狭まる。ここに、視野角調整手段の機能が実行される。
【００９５】
これに対して、マイコン１５１は、既にデュアルモードに設定されている場合において、図８のフローチャート中のステップＳ１０２で単独モードにモード設定した場合、バスライン１５３を介して放電ランプ３００２の輝度を上昇させるような調光信号を調光回路３００６に出力する。これにより、調光回路３００６は放電ランプ３００２を調光し、その輝度を上昇させる。すると、液晶表示パネル１２０Ａの視野角が広がる。
【００９６】
デュアルモードでは、図１１に示すフローチャートの処理に続いて、図１４のフローチャートに示す処理が実行される。図１４のフローチャートに示す処理は、商品販売データ処理のうち、商品コードの入力から締め処理に至る一連の処理であり、右側処理（図１４（ｂ））と左側処理（図１４（ａ））とが別個独立して実行される。このような右側処理と左側処理との別個独立した処理は、ＣＰＵ１５２のマルチタスク機能を用いて実行しても、二系統のＣＰＵ１５２に処理を分担させて実行しても良い。右側処理と左側処理との基本的な流れは同一であるので、ここでは、図１４中同一のステップ符号を付して説明し、右側処理と左側処理とが異なる場合にのみ両者を分けて説明する。
【００９７】
まず、マイコン１５１は、商品コード入力に待機する（ステップＳ３５１）。商品コード入力は、バーコードスキャナ１１１による商品に付されたバーコードのスキャナ入力又はキーボード１１０による商品コードのキー入力によって実行される。その他、オペレータ用表示器１０７に右側表示領域１０７Ｒと左側表示領域１０７Ｌとに分けて表示される商品コードの入力を許容する項目に対応する位置でのタッチパネル１０９によるタッチ入力によっても商品コードの入力が可能である。
【００９８】
商品コードの入力があったと判定された場合（ステップＳ３５１のＹ）、ＲＡＭ１５５の売上バッファにおけるレジスト領域に入力された商品コードを一時的にレジストして商品データを蓄積する処理がマイコン１５１によって実行される（ステップＳ３５２）。この際、第１の入力手段１０９ａ、１１０ａ、１１１ａにより入力された右側処理用の商品コードと第２の入力手段１０９ｂ、１１０ｂ、１１１ｂにより入力された左側処理用の商品コードとが区別されてＲＡＭ１５５の売上バッファにおけるレジスト領域に一時的にレジストされる。そして、右側処理用と左側処理用とに分けて取引データ計算が実行され（ステップＳ３５３）、オペレータ用表示器１０７及び顧客用表示器１２０の右側表示領域１０７Ｒ又は左側表示領域１０７Ｌの画面表示が更新される（ステップＳ３５４）。より詳しくは、マイコン１５１は、オペレータ用表示器１０７の商品情報欄１０７ｃ及び取引情報欄１０７ｄの表示内容を更新し、顧客用表示器１２０のカレント表示欄１２０ｂ、購入履歴欄１２０ｃ及び取引情報欄１２０ｄの表示内容を更新する。
【００９９】
その後、マイコン１５１は、第１のキーボード１１０ａ又は第２のキーボード１１０ｂからの預かり金額の入力（ステップＳ３５５のＹ）があるまで商品コード入力（ステップＳ３５１）に待機する。預かり金額の入力は、実際の取引において、顧客から決済のための金額を預かったオペレータがキーボード１１０中のエンターキー１１５を押下し、キーボード１１０中のテンキー１１３によってその預かり金額を入力することによってなされる。
【０１００】
そして、このようなテンキー１１３による預かり金額の入力があった場合には（ステップＳ３５５のＹ）、マイコン１５１は入力金額をＲＡＭ１５５にレジストする（ステップＳ３５６）。この際、入力された金額は、第１のキーボード１１０ａにより入力された金額と第２のキーボード１１０ｂにより入力された金額とを区別してＲＡＭ１５５にレジストする。その後、マイコン１５１は、第１の締めキー１１６ａ又は第２の締めキー１１６ｂの入力の有無を判定する（ステップＳ３５７）。第１の締めキー１１６ａ及び第２の締めキー１１６ｂは、商品情報の入力があった商品に関する取引の締めを宣言して決済を行うためのキーであり、具体的には客層キー１１６が締めキーとして機能する。
【０１０１】
次いで、第１の締めキー１１６ａ又は第２の締めキー１１６ｂの入力があった場合には（ステップＳ３５７のＹ）、マイコン１５１は、釣り銭金額を計算してオペレータ用表示器１０７の対応する方の取引情報欄１０７ｄ及び顧客用表示器１２０の対応する方の取引情報欄１２０ｄの「釣り」の欄に釣り銭金額を表示する（ステップＳ３５８）。この際、第１の締めキー１１６ａの入力があった場合には第１の入力手段１０９ａ、１１０ａ、１１１ａにより入力されてＲＡＭ１５５の売上バッファにおけるレジスト領域に一時的にレジストされた右側処理用の商品コードに基づいて釣り銭金額が計算され、第２の締めキー１１６ｂの入力があった場合には第２の入力手段１０９ｂ、１１０ｂ、１１１ｂにより入力されてＲＡＭ１５５の売上バッファにおけるレジスト領域に一時的にレジストされた左側処理用の商品コードに基づいて釣り銭金額が計算される。
【０１０２】
その後、マイコン１５１は、ＲＡＭ１５５のワークエリアを利用して右側処理と左側処理とを区別して販売データの仮登録を実行し（ステップＳ３５９）、レシート発行口１０６の近傍に配置された第１の左右表示部１１９ａと第２の左右表示部１１９ｂとを選択的に点灯させ（ステップＳ３６０）、サーマルプリンタ１０３を駆動制御してレシート１０５の印字発行を行ない（ステップＳ３６１）、ドロワコントローラ１６９にドロワオープン信号を出力させてドロワ２０１の引出しを開放する（ステップＳ２１３）。
【０１０３】
この際、マイコン１５１の制御によって、右側処理の場合にはレシート発行口１０６の近傍に配置された第１の左右表示部１１９ａである緑色のＬＥＤが点灯し、左側処理の場合にはレシート発行口１０６の近傍に配置された第２の左右表示部１１９ｂである橙色のＬＥＤが点灯することになる。これにより、オペレータは、レシート発行口１０６が一つであるにも拘らず、緑色のＬＥＤである第１の左右表示部１１９ａが点灯した場合には右側処理でのレシート発行であり、橙色のＬＥＤである第２の左右表示部１１９ｂが点灯した場合には左側処理でのレシート発行であることを知ることができる。ここに、これから発行されるレシート１０５が第１の入力手段１０９ａ、１１０ａ、１１１ａによって入力された商品データに基づくレシート１０５であるか第２の入力手段１０９ｂ、１１０ｂ、１１１ｂによって入力された商品データに基づくレシート１０５であるかを区別して報知する報知手段の機能が実行される。
【０１０４】
図２１は、デュアルモードで発行されたレシート１０５の一例を示す模式図である。この図２１にレシート１０５は、その右側部に複数個の星印のマーク１０５ａが印字されている。つまり、マイコン１５１は、第１の締めキー１１６ａの入力によって実行される第１の入力手段１０９ａ、１１０ａ、１１１ａにより入力された右側処理用の商品コードに基づくレシート１０５については、その右側部に複数個の星印のマーク１０５ａを印字し、第２の締めキー１１６ｂの入力によって実行される第２の入力手段１０９ｂ、１１０ｂ、１１１ｂにより入力されて左側処理用の商品コードに基づくレシート１０５については、その左側部に複数個の星印のマーク１０５ａを印字する。これにより、オペレータは、複数個の星印のマーク１０５ａがどちら側に印字されているかを見るだけで、右側処理によって印字発行されたレシート１０５か左側処理によって発行されたレシート１０５かを一見して認識することが可能となる。この意味で、マーク１０５ａの種類やその形態は、右側処理によって印字発行されたレシート１０５か左側処理によって発行されたレシート１０５かを区別し得るものであれば、どのようなものであっても良い。ここに、商品販売データ処理に際して、第１の入力手段１０９ａ、１１０ａ、１１１ａによって入力された商品データに基づくレシート１０５であるか第２の入力手段１０９ｂ、１１０ｂ、１１１ｂによって入力された商品データに基づくレシート１０５であるかを区別してレシート１０５をサーマルプリンタ１０３に印字発行させるレシート発行手段の機能が実行される。
【０１０５】
こうして、ステップＳ３５１〜ステップＳ３６１のステップによって、第１の締めキー１１６ａが押下された場合には第１の入力手段１０９ａ、１１０ａ、１１１ａによって入力された商品データに基づく商品販売データ処理を実行し、第２の締めキー１１６ｂが押下された場合には第２の入力手段１０９ｂ、１１０ｂ、１１１ｂによって入力された商品データに基づく商品販売データ処理を実行する締め手段の機能が実行される。
【０１０６】
なお、本実施の形態においては、制御プログラムを記憶した記憶媒体としてＨＤＤ１５７を適用したが、これに限るものではなく、ＦＤ、光ディスク（ＣＤ−ＲＯＭ，ＣＤ−Ｒ，ＣＤ−Ｒ／Ｗ，ＤＶＤ−ＲＯＭ，ＤＶＤ−ＲＡＭなど）、光磁気ディスク（ＭＯ）、メモリカード等、プログラムを記憶でき、かつコンピュータが読み取り可能であれば、その記憶形式は何れの形態であっても良い。また、記憶媒体には、コンピュータと独立した媒体に限らず、ＬＡＮやインターネット等により伝送されたプログラムをダウンロードして記憶または一時記憶したものも含まれる。
【０１０７】
〔ＰＯＳ端末１０１の使用形態〕
以上説明したように、本実施の形態のＰＯＳ端末１０１では、単独モードでの使用とデュアルモードでの使用との二通りの使用形態を選択することができる。そこで、通常は単独モードで使用し、繁忙時にはデュアルモードで使用するというようなことが可能となる。この場合、１台のＰＯＳ端末１０１によって、単独モードでもデュアルモードでも使用可能であることから、大規模な装置を用いることなく、効率よく顧客を捌くことが可能となる。
【０１０８】
ここで、本実施の形態では、デュアルモードにおいて、オペレータから見て右側に並ぶ顧客が購入する商品の商品データについては、第１の入力手段（例えば、第１のキーボード１１０ａ、第１のスキャナ１１１ａ等）と第２の入力手段（例えば、第２のキーボード１１０ｂ、第２のスキャナ１１０ｂ等）とのうち右側に配置する入力手段、本実施の形態では第１の入力手段１０９ａ、１１０ａ、１１１ａによってその商品情報を入力可能として、入力された商品データに基づく商品販売情報をオペレータ用表示器１０７に右側表示して顧客用表示器１２０に左側表示する。この際、オペレータ用表示器１０７の右側表示のフレームが緑色に表示され、第１のキーボード１１０ａ及び第１のスキャナ１１１ａの左右表示部１１７ａ、１１８ａが緑色に点灯することから、オペレータは自分が操作し見ようとする対象物の左右の別を容易に識別することができる。また、商品販売データ処理に際して、レシート１０５が発行される直前には、レシート発行口１０６近傍の右側に位置する左右表示部１１９ａが緑色に点灯することから、左右どちらの顧客用のレシート１０５がこれから発行されるのかが容易に判別される。レシート１０５の判別は、レシート１０５に印字されるマーク１０５ａによって、レシート１０５そのものからも容易である。
【０１０９】
また、オペレータから見て左側に並ぶ顧客が購入する商品の商品データについては、第１の入力手段（例えば、第１のキーボード１１０ａ、第１のスキャナ１１１ａ等）と第２の入力手段（例えば、第２のキーボード１１０ｂ、第２のスキャナ１１０ｂ等）とのうち左側に配置する入力手段１０９ｂ、１１０ｂ、１１１ｂによってその商品情報を入力可能として、入力された商品データに基づく商品販売情報をオペレータ用表示器１０７に左側表示し顧客用表示器１２０に右側表示する。この際、オペレータ用表示器１０７の左側表示のフレームが橙色に表示され、第２のキーボード１１０ｂ及び第２のスキャナ１１１ｂの左右表示部１１７ｂ、１１８ｂが橙色に点灯することから、オペレータは自分が操作し見ようとする対象物の左右の別を容易に識別することができる。また、商品販売データ処理に際して、レシート１０５が発行される直前には、レシート発行口１０６近傍の左側に位置する左右表示部１１９ｂが橙色に点灯することから、左右どちらの顧客用のレシート１０５がこれから発行されるのかが容易に判別される。レシート１０５の判別は、レシート１０５に印字されるマーク１０５ａによって、レシート１０５そのものからも容易である。
【０１１０】
したがって、デュアルモードにおいては、オペレータから見て右側に並ぶ顧客については右を観念させる操作及び表示によって一連の商品販売作業を行なうことができ、オペレータから見て左側に並ぶ顧客については左を観念させる操作及び表示によって一連の商品販売作業を行なうことができる。
【０１１１】
また、データ処理部を構築するマイコン１５１がデュアルモードにモード設定された場合、視野角調整手段は、液晶表示パネル１２０Ａの視野角を図１２（ａ）に例示する状態から図１２（ｂ）に例示する状態に狭める。これにより、右側表示領域１２０Ｒに表示される商品の取引情報は、その取引情報とは基本的に無関係である左側に立つ顧客２００１ａに知られることがなく、逆に、左側表示領域１２０Ｌに表示される商品の取引情報は、その取引情報とは基本的に無関係である右側に立つ顧客２００１ｂに知られてしまうことがない。したがって、いずれの顧客２００１ａ、２００１ｂにとっても、それらの者のプライバシーが守られる。
【０１１２】
【発明の効果】
本発明は、商品販売データ処理を実行するデータ処理部を、第１の入力手段によって入力された商品データに基づく商品販売情報と第２の入力手段によって入力された商品データに基づく商品販売情報とを右側表示と左側表示とに分けて液晶表示パネルを有する顧客用表示器に表示し、商品販売データ処理を左右独立に実行可能とするデュアルモードにモード設定するようにしたので、第１の入力手段及びこれに対応する側の表示を一人に顧客に割り当て、第２の入力手段及びこれに対応する側の表示をもう一人の別の顧客に割り当てることができ、これにより、一台の商品販売データ処理装置によって二人の顧客を捌くことができ、したがって、大規模な装置を用いることなく、効率よく顧客を捌くことができる。本発明は、また、データ処理部がデュアルモードにモード設定された場合、顧客用表示器が有する液晶表示パネルにおける液晶の透過率を低下させ、あるいは、液晶表示パネルのバックライトの輝度を低下させるようにしたので、データ処理部がデュアルモードにモード設定された場合には液晶表示パネルの視野角を狭めることができ、したがって、単一の顧客用表示器の表示を隣り合って見ることになる二人の顧客のそれぞれの商品販売情報を、隣の顧客に対して見えにくくすることができ、個々の顧客のプライバシーを保護することができる。
【図面の簡単な説明】
【図１】本発明の実施の一形態として、ＰＯＳ端末及びドロワの外観を示す斜視図である。
【図２】キーボードの平面図である。
【図３】ＰＯＳ端末及びドロワの外観の一部を示す斜視図である。
【図４】ＰＯＳ端末及びドロワの顧客側から見た背面斜視図である。
【図５】ＰＯＳ端末における各部の電気的接続のブロック図である。
【図６】顧客用表示コントローラの回路構成を概略的に示す回路図である。
【図７】顧客用表示コントローラが備える電圧切替回路を概略的に示す回路図である。
【図８】登録処理モードにおける単独モードとデュアルモードとのモード選択処理を示すフローチャートである。
【図９】単独モードでの処理を示すフローチャートである。
【図１０】デュアルモードでの処理を示すフローチャートである。
【図１１】デュアルモードでの視野角調整処理を示すフローチャートである。
【図１２】（ａ）は、視野角調整処理を実行しない場合の顧客用表示器の視野角を示す模式図、（ｂ）は、視野角調整処理を実行した場合の顧客用表示器の視野角を示す模式図である。
【図１３】視野角調整手段を構成する別の回路構成を液晶表示パネルのバックライト構造と共に例示する模式図である。
【図１４】デュアルモードでの右側処理と左側処理とを示すフローチャートである。
【図１５】単独モードでのオペレータ用表示器における画面表示例を示す模式図である。
【図１６】単独モードでの顧客用表示器における画面表示例を示す模式図である。
【図１７】デュアルモードでのオペレータ用表示器における画面表示例を示す模式図である。
【図１８】デュアルモードでの顧客用表示器における画面表示例を示す模式図である。
【図１９】デュアルモードでの顧客用表示器における図１８とは別の画面表示例を示す模式図である。
【図２０】デュアルモードでの顧客用表示器における図１８及び図１９とは別の画面表示例を示す模式図である。
【図２１】デュアルモードで発行されたレシートの一例を示す模式図である。
【符号の説明】
１０９ａ、１１０ａ、１１１ａ      第１の入力手段
１０９ｂ、１１０ｂ、１１１ｂ      第２の入力手段
１２０      顧客用表示器
１２０Ａ    液晶表示パネル
１２０ｂ    共通電極
１５１      データ処理部（マイコン）
３００１    バックライト（バックライト構造）
ステップＳＳ１０３、Ｓ１０５      デュアルモード設定手段
ステップＳ３２１〜３２３      視野角調整手段
【図１】
2005049917.tif 000003
【図２】
2005049917.tif 000004
【図３】
2005049917.tif 000005
【図４】
2005049917.tif 000006
【図５】
2005049917.tif 000007
【図６】
2005049917.tif 000008
【図７】
2005049917.tif 000009
【図８】
2005049917.tif 000010
【図９】
2005049917.tif 000011
【図１０】
2005049917.tif 000012
【図１１】
2005049917.tif 000013
【図１２】
2005049917.tif 000014
【図１３】
2005049917.tif 000015
【図１４】
2005049917.tif 000016
【図１５】
2005049917.tif 000017
【図１６】
2005049917.tif 000018
【図１７】
2005049917.tif 000019
【図１８】
2005049917.tif 000020
【図１９】
2005049917.tif 000021
【図２０】
2005049917.tif 000022
【図２１】
2005049917.tif 000023